(57)【要約】【課題】レンズ鏡筒をハウジングへの取付けるときに、精度よく傾き調整することができるレンズ鏡筒の取付け調整方法を提供する。【解決手段】レンズ鏡筒３の後部側が固定されるハウジングの取付開口部４ｄの背面側周囲の、撮影レンズ系の光軸方向と直交する平面上の３箇所に、レンズ鏡筒３の傾きを調整するためのカム面を有するカム１０を光軸方向に沿った回転軸を回転中心にして回転可能に設け、レンズ鏡筒３の後部側に、各カム面に接するように取付けたカム当接部材１１と、各カム当接部材１１をカム面に押し付ける方向へ付勢する圧縮コイルばね１４とを備えており、各カム１０を回転軸を回転中心にして回転させて、カム面に付勢されているカム当接部材１１を光軸方向に沿って前後へ移動させることで、レンズ鏡筒３をハウジングに取付けるときの傾きを調整する。【選択図】図７
2013097365.tif 000002
【特許請求の範囲】
【請求項１】
ハウジングの取付開口部周囲に位置決めされて取付けられる、複数のレンズ群を有する撮影レンズ系が少なくとも配置されたレンズ鏡筒において、
前記レンズ鏡筒の後部側が固定される前記ハウジングの取付開口部の背面側周囲の、前記撮影レンズ系の光軸方向と直交する平面上に所定間隔を有するようにして少なくとも３箇所に、前記レンズ鏡筒の前記ハウジングに対する傾きを調整するための傾斜状のカム面を有するカムを前記光軸方向に沿った回転軸を回転中心にして回転可能にそれぞれ設け、
前記レンズ鏡筒の後部側に、前記各カム面に接するようにそれぞれ取付けたカム当接部材と、前記各カム当接部材を前記カム面に押し付ける方向へ付勢する付勢部材と、を備えており、
前記各カムを前記回転軸を回転中心にして回転させて、前記カム面に付勢されている前記カム当接部材を光軸方向に沿って前後へ移動させることで、前記ハウジングに対して傾き調整されることを特徴とするレンズ鏡筒。
【請求項２】
請求項１に記載のレンズ鏡筒を備えていることを特徴とする撮像装置。
【請求項３】
複数のレンズ群を有する撮影レンズ系が少なくとも配置されたレンズ鏡筒を、ハウジングの取付開口部周囲に取付けるときのレンズ鏡筒の取付け調整方法であって、
前記レンズ鏡筒の後部側が固定される前記ハウジングの取付開口部の背面側周囲の、前記撮影レンズ系の光軸方向と直交する平面上に所定間隔を有するようにして少なくとも３箇所に、前記レンズ鏡筒の前記ハウジングに対する傾きを調整するための傾斜状のカム面を有するカムを前記光軸方向に沿った回転軸を回転中心にして回転可能にそれぞれ設け、
前記レンズ鏡筒の後部側に、前記各カム面に接するようにそれぞれ取付けたカム当接部材と、前記各カム当接部材を前記カム面に押し付ける方向へ付勢する付勢部材と、を備えており、
前記各カムを前記回転軸を回転中心にして回転させて、前記カム面に付勢されている前記カム当接部材を光軸方向に沿って前後へ移動させることで、前記レンズ鏡筒を前記ハウジングに取付けるときの傾きを調整することを特徴とするレンズ鏡筒の取付け調整方法。
【請求項４】
前記付勢部材は、圧縮コイルばねであることを特徴とする請求項３に記載のレンズ鏡筒の取付け調整方法。
【請求項５】
前記レンズ鏡筒の後部は、前記圧縮コイルばねを介装して前記カム当接部材の基端側を挿通したねじを前記取付開口部の背面側周囲に螺合することで前記ハウジングに固定されていることを特徴とする請求項４に記載のレンズ鏡筒の取付け調整方法。
【請求項６】
前記カムの基端側には表面周囲に凹凸部が形成され、更に、前記凹凸部の所定範囲を囲むようにしてリブが形成されており、前記リブと前記凹凸部との間に接着剤を充填して前記カムを固定することを特徴とする請求項３乃至５のいずれか一項に記載のレンズ鏡筒の取付け調整方法。
【請求項７】
前記レンズ鏡筒は、複数のレンズ群のうちの少なくとも一部のレンズ群を光軸方向に沿って移動させて沈胴させる収納状態と、複数のレンズ群のうちの少なくとも一部のレンズ群を光軸方向に沿って繰り出させる撮影状態とに設定可能であり、前記レンズ鏡筒の最外側の筒は、前記収納状態と前記撮影状態の間で光軸方向に沿って直進駆動可能な直進筒であることを特徴とする請求項３乃至６のいずれか一項に記載のレンズ鏡筒の取付け調整方法。
【請求項８】
前記ハウジングには、前記直進筒の外周面に対して所定の隙間を設けて内包するように鏡筒ハウジング部が一体的に形成されていることを特徴とする請求項７に記載のレンズ鏡筒の取付け調整方法。
【請求項９】
前記鏡筒ハウジング部と前記直進筒との間には、円周方向に沿って前記直進筒と摺動可能な可撓性を有するリング状の防塵シートが設けられていることを特徴とする請求項８に記載のレンズ鏡筒の取付け調整方法。
【請求項１０】
前記ハウジングに取付けられた前記レンズ鏡筒は、撮像装置の装置本体に着脱可能に装着可能であり、前記レンズ鏡筒内には、前記撮影レンズ系の光軸上に位置するようにして撮像素子が内蔵されていることを特徴とする請求項３乃至９のいずれか一項に記載のレンズ鏡筒の取付け調整方法。
【発明の詳細な説明】
【技術分野】
【０００１】
本発明は、レンズ鏡筒、撮像装置及びレンズ鏡筒の取付け調整方法に関する。
【背景技術】
【０００２】
複数のレンズが内部に配置されたレンズ鏡筒を該レンズ鏡筒が取付けられるハウジングに取付けて固定する場合、例えば、特許文献１のような鋼球の直径を変化させることでレンズ鏡筒のハウジングへの取付け位置を調整する技術が知られている。
【発明の概要】
【発明が解決しようとする課題】
【０００３】
ところで、前記特許文献１のような鋼球の直径を変化させることでレンズ鏡筒のハウジングへの取付け位置を調整する技術では、鋼球の直径を変化させるピッチで調整精度が決まってしまう。このため、前記特許文献１の技術を、レンズ鏡筒をハウジングに取付けて固定するときのレンズ鏡筒の傾き調整に適用した場合、鋼球の直径を変化させるピッチでレンズ鏡筒の傾きの調整精度が決まってしまうため、必ずしも精度の高い傾き調整を行えないことがある。
【０００４】
そこで、本発明は、レンズ鏡筒をハウジングへの取付けるときに、精度よく傾き調整することができるレンズ鏡筒、撮像装置及びレンズ鏡筒の取付け調整方法を提供することを目的とする。
【課題を解決するための手段】
【０００５】
前記目的を達成するために本発明に係るレンズ鏡筒は、ハウジングの取付開口部周囲に位置決めされて取付けられる、複数のレンズ群を有する撮影レンズ系が少なくとも配置されたレンズ鏡筒において、前記レンズ鏡筒の後部側が固定される前記ハウジングの取付開口部の背面側周囲の、前記撮影レンズ系の光軸方向と直交する平面上に所定間隔を有するようにして少なくとも３箇所に、前記レンズ鏡筒の前記ハウジングに対する傾きを調整するための傾斜状のカム面を有するカムを前記光軸方向に沿った回転軸を回転中心にして回転可能にそれぞれ設け、前記レンズ鏡筒の後部側に、前記各カム面に接するようにそれぞれ取付けたカム当接部材と、前記各カム当接部材を前記カム面に押し付ける方向へ付勢する付勢部材と、を備えており、前記各カムを前記回転軸を回転中心にして回転させて、前記カム面に付勢されている前記カム当接部材を光軸方向に沿って前後へ移動させることで、前記ハウジングに対して傾き調整されることを特徴としている。
【０００６】
また、本発明に係る撮像装置は、請求項１に記載のレンズ鏡筒を備えていることを特徴としている。
【０００７】
また、本発明に係るレンズ鏡筒の取付け調整方法は、複数のレンズ群を有する撮影レンズ系が少なくとも配置されたレンズ鏡筒を、ハウジングの取付開口部周囲に取付けるときのレンズ鏡筒の取付け調整方法であって、前記レンズ鏡筒の後部側が固定される前記ハウジングの取付開口部の背面側周囲の、前記撮影レンズ系の光軸方向と直交する平面上に所定間隔を有するようにして少なくとも３箇所に、前記レンズ鏡筒の前記ハウジングに対する傾きを調整するための傾斜状のカム面を有するカムを前記光軸方向に沿った回転軸を回転中心にして回転可能にそれぞれ設け、前記レンズ鏡筒の後部側に、前記各カム面に接するようにそれぞれ取付けたカム当接部材と、前記各カム当接部材を前記カム面に押し付ける方向へ付勢する付勢部材と、を備えており、前記各カムを前記回転軸を回転中心にして回転させて、前記カム面に付勢されている前記カム当接部材を光軸方向に沿って前後へ移動させることで、前記レンズ鏡筒を前記ハウジングに取付けるときの傾きを調整することを特徴としている。
【発明の効果】
【０００８】
本発明によれば、各カムを回転軸を回転中心にして回転させて、カム面に付勢されているカム当接部材を光軸方向に沿って前後へ移動させることで、レンズ鏡筒をハウジングへの取付けるときの傾き調整を精度よく行うことができる。
【図面の簡単な説明】
【０００９】
【図１】本発明に係る撮像装置としてのレンズ鏡筒交換可能なデジタルカメラのレンズ鏡筒を取外した状態を示す斜視図。
【図２】レンズ鏡筒が装着された状態のデジタルカメラを示す斜視図。
【図３】レンズ鏡筒が広角端に繰り出された状態のデジタルカメラを示す斜視図。
【図４】レンズ鏡筒が望遠端に繰り出された状態のデジタルカメラを示す斜視図。
【図５】（ａ）は、レンズ鏡筒の撮影レンズ系が収納された状態を示す断面図、（ｂ）は、レンズ鏡筒が広角端に繰り出された状態を示す断面図、（ｃ）は、レンズ鏡筒が望遠端に繰り出された状態を示す断面図。
【図６】ハウジングの内部を前面側から見た斜視図。
【図７】ハウジングの内部を背面側から見た斜視図。
【図８】本発明の要部であるカムとカム当接部材付近を示す拡大斜視図。
【図９】本発明の要部であるカムとカム当接部材付近を示す拡大平面図。
【図１０】（ａ）は、カムのカム面側を示した斜視図、（ｂ）は、カムの凹凸部側を示した斜視図。
【図１１】ねじに挿通される圧縮コイルばねを示した図。
【図１２】（ａ）は、レンズ鏡筒をハウジングに取付けたときにレンズ鏡筒の傾き調整が行われた状態を示す図、（ｂ）、（ｃ）は、レンズ鏡筒をハウジングに取付けたときにレンズ鏡筒に傾きが生じている状態を示す図。
【図１３】一般的な構成のレンズ鏡筒を示す概略断面図。
【発明を実施するための形態】
【００１０】
以下、本発明を図示の実施形態に基づいて説明する。図１は、本発明に係る撮像装置としてのレンズ鏡筒交換可能なデジタルカメラのレンズ鏡筒を取外した状態を示す斜視図、図２は、レンズ鏡筒が装着された状態のデジタルカメラを示す斜視図である。図１、図２に示した本実施形態に係るデジタルカメラは、レンズ鏡筒内に撮影レンズ系とその光軸上に撮像素子等が一体構成で配置されている。
【００１１】
図１、図２に示すように、このデジタルカメラ１は、カメラ本体２と、このカメラ本体２の前面側の装着部５に着脱可能に装着されるレンズ鏡筒３と、このレンズ鏡筒３が取り付けられたハウジング４とで構成されており、ハウジング４の背面側を装着部５に装着し横方向（矢印方向）にスライドさせることで、レンズ鏡筒３（ハウジング４）が装着部５に着脱可能に装着される。この際、ハウジング４に設けた複数の電気端子（不図示）がカメラ本体２のコネクター部６に電気的に接続される。
【００１２】
レンズ鏡筒３は、内部にズーム機能を有する撮影レンズ系を有し、この撮影レンズ系の光軸に沿って、所定の収納（沈胴）位置と所定の撮像位置との間で進退可能となっている（図５参照）。レンズ鏡筒３は、図２、図５（ａ）に示すように、非撮影時（電源ＯＦＦ時）にはレンズ鏡筒３の先端部付近のみが露出するようにして鏡筒ハウジング部４ａ内に収納されている。この鏡筒ハウジング部４ａは、ハウジング４の前面側に一体的に形成されている。
【００１３】
レンズ鏡筒３は、図３、図５（ｂ）に示すように、撮影時で広角端に繰り出されているときはレンズ鏡筒３の先端部付近が非撮影時よりも少し突出している。また、レンズ鏡筒３は、図４、図５（ｃ）に示すように、撮影時で望遠端に繰り出されているときはレンズ鏡筒３から最大に突出している。
【００１４】
図５（ａ）に示すように、レンズ鏡筒３内に光軸Ａ方向に沿って配置される撮影レンズ系は、被写体側（図の左側）から順に前玉レンズ２１、第２レンズ群２２、第３レンズ群２３、第４レンズ群２４、第５レンズ群２５とで構成されている。第３レンズ群２３と第４レンズ群２４の間には、シャッタ機能を有する絞りユニット２８が配置されている。第５レンズ群２５の後方側（図の右側）には、ＩＲカットフィルタ２６とＣＣＤなどの撮像素子２７が配置されている。なお、ＩＲカットフィルタ２６と撮像素子２７は、レンズ鏡筒３の後部（図の右側）に接続されたベース部材２９に固定されている。
【００１５】
また、レンズ鏡筒３には、図５（ｂ），（ｃ）に示すように、前玉レンズ２１を保持している直進筒３１、第２レンズ群２２を保持している第２群枠３２、第３レンズ群２３を保持している第３群枠３３、第４レンズ群２４と絞りユニット２８を保持している第３群枠３４、第５レンズ群２５を保持している第５群枠３５が配置されている（図５（ｂ）参照）。
【００１６】
更に、直進筒３１を光軸Ａ方向に沿って直進駆動するためのカム筒３６と、直進キーが形成されているライナー３７が前記ベース部材２９に固定されており、駆動機構（不図示）によりカム筒３６が回転駆動されると、カム筒３６の外周に形成されているカム溝によって直進筒３１が被写体側（図の左側）に繰り出される。また、第２群枠３２〜第５群枠３５は、カム筒３６の内周に形成されているカムによって被写体側（図の左側）に繰り出される。
【００１７】
このように、本実施形態のレンズ鏡筒３の最も外側の筒は直進筒３１であり、鏡筒ハウジング部４ａはこの直進筒３１を覆うようにして直進筒３１の周面外側に配置されている。また、図５に示すように、鏡筒ハウジング部４ａの前面側（図の左側）の内周に設けた溝には、可撓性を有するリング状の防塵シート４０が接着されている。この防塵シート４０により、直進筒３１の繰り出し繰り込み時にレンズ鏡筒３と直進筒３１の間の隙間からごみ等がレンズ鏡筒３内に進入することを防止することができる。
【００１８】
図６は、ハウジング４の内部を前面側から見た斜視図、図７は、ハウジング４の内部を背面側から見た斜視図である。
【００１９】
図６、図７に示すように、鏡筒ハウジング部４ａの後部に一体に形成されたハウジング４の前面部４ｂの内側（以下、「ハウジング内面部」という）４ｃには、取付開口部４ｄ（図７参照）が形成されており、ハウジング内面部４ｃの取付開口部４ｄ付近にレンズ鏡筒３の後部のベース部材２９が配置されている。なお、このベース部材２９には、前記ＩＲカットフィルタ２６、撮像素子２７以外にもレンズ駆動ユニット、撮像素子制御ユニット、撮像素子２７の手ぶれ防止機構等が配置されている。
【００２０】
図７に示すように、ハウジング内面部４ｃには、ベース部材２９の周辺部に位置するようにして３つのカム１０が所定の間隔で回転可能に配置されている。３つのカム１０は、略二等辺三角形の頂点付近に位置するようにして配置されている。
【００２１】
図８、図９、図１０（ａ），（ｂ）に示すように、各カム１０の先端側には円弧状の傾斜面を有するカム面１０ａが形成され、カム１０の基端側の周囲には凹凸部１２が形成されている。カム面１０ａの傾斜面は基端部１０ａ’から先端部１０ａ''に向けて低くなるように傾斜している。なお、図８、図９は、図７に示した３つのカム１０のうちの左上側のカム１０付近を示している。
【００２２】
カム１０の中心に形成された回転軸１０ｂの基端部は、ハウジング内面部４ｃに回転可能に設置されている。また、ハウジング内面部４ｃには、カム１０に形成された凹凸部１２の所定範囲を囲むようにして円弧状のリブ１３が形成されている。リブ１３の両側には、凹凸部１２の表面に近接するようにして突起部１３ａ，１３ｂが形成されている。
【００２３】
図８、図９に示すように、ベース部材２９の角部付近には、カム１０のカム面１０ａに接するようにしてカム当接部材１１が設けられている。カム当接部材１１の基端側に形成された挿通穴（不図示）には、圧縮コイルばね１４を介してねじ１５が挿通され、ねじ１５のねじ部１５ａ（図１１参照）がハウジング内面部４ｃに形成されたボス１６（図８参照）の内周面のねじ溝（不図示）に螺合されている。
【００２４】
なお、図８、図９では、ハウジング内面部４ｃの左上側のカム１０を示しているが、ハウジング内面部４ｃの右上側と左下側の各カム１０付近においても同様に構成されている。
【００２５】
このように、３つのカム１０付近でカム当接部材１１の基端側を挿通するようにしてねじ１５をボス１６に螺合することにより、レンズ鏡筒３のベース部材２９がハウジング内面部４ｃに位置決めされて取付けられる。この際、圧縮コイルばね１４のばね力により、カム当接部材１１の摺接面がカム１０のカム面１０ａに摺動可能に押し付けられるようにして接している。これにより、カム１０のハウジング内面部４ｃからの抜けやがたつきが防止される。なお、この取付け状態ではまだ仮固定であり、次に以下に述べるようなレンズ鏡筒３の傾きを補正するための調整（傾き補正）を行う。
【００２６】
レンズ鏡筒３の傾き調整を行う場合には、カム１０の回転軸１０ｂ内の軸穴１０ｂ’に専用工具（不図示）を挿入して、例えば、時計回り方向（右回り方向）に回転させるとカム１０（カム面１０ａ）も時計回り方向に回転する。カム１０が時計回り方向に回転すると、カム面１０ａに摺動可能に押し付けられているカム当接部材１１の摺接面がカム面１０ａの先端部１０ａ''側に近づく。これにより、圧縮コイルばね１４のばね力で付勢されているカム当接部材１１が、撮影レンズ系（前玉レンズ２１、第２レンズ群２２、第３レンズ群２３、第４レンズ群２４、第５レンズ群２５）の光軸方向に沿ってレンズ鏡筒３の前方側（図５（ａ）の左側）に移動する。
【００２７】
また、カム１０の回転軸１０ｂ内の軸穴１０ｂ’に専用工具（不図示）を挿入して、例えば、反時計回り方向（左回り方向）に回転させるとカム１０（カム面１０ａ）も反時計回り方向に回転する。カム１０が反時計回り方向に回転すると、カム面１０ａに摺動可能に押し付けられているカム当接部材１１の摺接面がカム面１０ａの基端部１０ａ’側に近づく。これにより、圧縮コイルばね１４のばね力で付勢されているカム当接部材１１が、撮影レンズ系（前玉レンズ２１、第２レンズ群２２、第３レンズ群２３、第４レンズ群２４、第５レンズ群２５）の光軸方向に沿ってレンズ鏡筒３の後方側（図５（ａ）の右側）に移動する。
【００２８】
このように、上記したようにレンズ鏡筒３のベース部材２９の３箇所の角部付近が、ねじ１５をボス１６に螺合することによってハウジング内面部４ｃに仮固定された状態にあるときに、カム１０を時計回り方向または反時計回り方向に回転させることで、各カム面１０ａに付勢されているカム当接部材１１を撮影レンズ系の光軸方向に沿って前後にそれぞれ移動させることができる。
【００２９】
よって、レンズ鏡筒３内の撮影レンズ系の光軸がハウジング内面部４ｃの平面に対して直角でなく傾きがある場合、この傾きを補正するように、略二等辺三角形の頂点に位置する３つのカム１０をそれぞれ時計回り方向または反時計回り方向に回転させることで、各カム当接部材１１が設けられているベース部材２９の３箇所の角部付近を、カム当接部材１１の移動量に応じてそれぞれ傾けることができる。
【００３０】
これにより、レンズ鏡筒３がハウジング内面部４ｃの平面に対して傾きなく略直角となるように調整される。そして、レンズ鏡筒３の傾き調整を終えると、図９のように、カム１０の基端部に形成された凹凸部１２とリブ１３の間に、例えば熱硬化性接着剤Ａを充填して、ハウジング内面部４ｃに３つのカム１０を固定する。
【００３１】
各カム１０が接着剤Ａでハウジング内面部４ｃに固定されることにより、カム面１０ａに付勢されているカム当接部材１１が移動することはない。更に、ハウジング４等に衝撃が作用した場合でも圧縮コイルばね１４のばね力により、カム当接部材１１の摺接面がカム１０のカム面１０ａに所定の圧力で常に押し付けられているので、傾き調整されているレンズ鏡筒３に傾きズレが生じることもない。
【００３２】
このように、レンズ鏡筒３のベース部材２９をハウジング内面部４ｃに取り付けるときに、３つのカム１０をそれぞれ時計回り方向または反時計回り方向に回転させて、カム面１０ａに摺接しているカム当接部材１１を光軸方向に沿って前後に移動させることで、レンズ鏡筒３の傾き調整を精度よく行うことができる。これにより、レンズ鏡筒３をハウジング内面部４ｃの平面に対して略直角となるように位置決めされた状態で取付けることができる。
【００３３】
そして、図１２（ａ）に示すように、レンズ鏡筒３の傾き調整が精度よく行われたとき、即ちレンズ鏡筒３内の撮影レンズ系の光軸Ａがハウジング内面部４ｃの平面に対して略直角となるように調整されたときには、レンズ鏡筒３の最外筒の直進筒３１と鏡筒ハウジング部４ａの内周面との間に略均一な所定の隙間が設けられる。この場合には、リング状の防塵シート４０が直進筒３１の周面に円周方向に沿って均一に接するので、良好な防塵効果を保ちながら、直進筒３１の繰り出し繰り込み動作をスムーズに行なうことができる。
【００３４】
これに対して、図１２（ｂ），（ｃ）に示すように、レンズ鏡筒３内の撮影レンズ系の光軸Ａがハウジング内面部４ｃの平面に対して傾きが生じているときには、レンズ鏡筒３の最外筒の直進筒３１と鏡筒ハウジング部４ａの内周面との間の隙間が不均一となる。この場合、傾きが大きいと、直進筒３１の先端側が鏡筒ハウジング部４ａの内周面先端部に接して干渉し、直進筒３１の繰り出し繰り込み動作に支障をきたすことがある。なお、図１２（ｂ）では図の左下方側にレンズ鏡筒３が傾いている状態であり、図１２（ｃ）では図の左上方側にレンズ鏡筒３が傾いている状態である。
【００３５】
更に、図１２（ｂ），（ｃ）のように、レンズ鏡筒３が傾いている場合には、リング状の防塵シート４０が直進筒３１の周面に不均一に接し、隙間が大きい側での防塵効果が低下する。
【００３６】
図１３は、一般的な構成のレンズ鏡筒がハウジング内に収納された状態の一例を示した断面図である。
【００３７】
図１３に示すように、ハウジング５０内には収納状態のレンズ鏡筒５１が配置されており、このレンズ鏡筒５１の最外側には、ハウジング５０の内周面に接するように配置された筒状の固定枠５２が設けられている。そして、この固定枠５２の内側に、駆動機構（不図示）により直進駆動可能な直進筒５３が所定の隙間を有するように位置決めされて配置されている。なお、この直進筒５３の内側には、前玉レンズ５４、第２レンズ群５５、第３レンズ群５６、第４レンズ群５７とで構成された撮影レンズ系が配置されている。
【００３８】
このように、図１３に示したこの一般的な構成のレンズ鏡筒５１では、レンズ鏡筒５１の傾き調整機能を有していないので、ハウジング５０とは別体の直進筒５３をハウジング５０の内周面に対して傾きなく均一な隙間を設けて組付けることが難しい。このため、ハウジング５０の内周面に固定枠５２を配置してこの固定枠５２の内側に直進筒５３を精度よく組付けるようにしている。
【００３９】
これに対して、上記した本実施形態のレンズ鏡筒３は、レンズ鏡筒３のベース部材２９をハウジング内面部４ｃに取付けるときに、３つのカム１０をそれぞれ時計回り方向または反時計回り方向に回転させて、カム面１０ａに摺接しているカム当接部材１１を光軸方向に沿って前後に移動させることで、レンズ鏡筒３がハウジング内面部４ｃの平面に対して略直角となるように精度よく調整することができる。
【００４０】
これにより、レンズ鏡筒３の最外側に固定枠を設けることなく、直進筒３１と鏡筒ハウジング部４ａの内周面との間に略均一な所定の隙間を設けて、直進筒３１をスムーズに直進駆動させることができるので、固定枠が不要となり、コスト低減と小型化を図ることができる。
【００４１】
なお、上記した実施形態ではレンズ鏡筒交換可能なデジタルカメラで、レンズ鏡筒内に撮影レンズ系とその光軸上に撮像素子等が一体構成で配置され、レンズ鏡筒側にハウジングが取付けられた構成であったが、これに限定されることなく、レンズ駆動ユニット、撮像素子、ハウジング等がカメラ本体側に配置されたデジタルカメラ（撮像装置）において、撮影レンズ系が配置されたレンズ鏡筒をカメラ本体側のハウジングに取付けるような構成においても同様に本発明を適用することができる。
【符号の説明】
【００４２】
１        デジタルカメラ
２        カメラ本体
３        レンズ鏡筒
４        ハウジング
４ａ      鏡筒ハウジング部
１０      カム
１０ａ    カム面
１１      カム当接部材
１４      圧縮コイルばね
１５      ねじ
２９      ベース部材
【先行技術文献】
【特許文献】
【００４３】
【特許文献１】特開平７−１０４１６３号公報（図１）
【図１】
2013097365.tif 000003
【図２】
2013097365.tif 000004
【図３】
2013097365.tif 000005
【図４】
2013097365.tif 000006
【図５】
2013097365.tif 000007
【図６】
2013097365.tif 000008
【図７】
2013097365.tif 000009
【図８】
2013097365.tif 000010
【図９】
2013097365.tif 000011
【図１０】
2013097365.tif 000012
【図１１】
2013097365.tif 000013
【図１２】
2013097365.tif 000014
【図１３】
2013097365.tif 000015